(57)【要約】【課題】前記先願と同様に収納体の引き出し入れストローク長を短くできる構成でいて、閉塞体が開放時でも前方へ大きく飛び出すことなく邪魔とならない昇降吊戸棚を提供すること。【解決手段】棚１の前面の下側部分を開放すると共に、この前面開放部１Ｂを閉塞する閉塞体４を設け、この閉塞体４は、この閉塞体４より上側の棚１前壁部１Ｃに沿って上方へスライド移動し得るように構成すると共に、この閉塞体４が上方へスライド移動することで前記前面開放部１Ｂを開放し得るように構成し、前記収納体２を下方へ引き出しスライドさせると同時にこの閉塞体４を前記前壁部１Ｃに沿って上方へスライド移動せしめる連動機構５を備え、この連動機構５により収納体２を下方へ引き出し配設すると、閉塞体４が上方へスライド移動して開放する前記前面開放部１Ｂから前壁部１Ｃに隠蔽されていた収納体２の前面部が露出するように構成する。【選択図】        図１
2004305491.tif 000002
【特許請求の範囲】
【請求項１】
底面を開放させた棚内に収納体を配設し、この収納体と棚の内面とにこの収納体を上下方向にスライドせしめるスライド機構を設け、このスライド機構を介して収納体を棚内からこの棚の略真下方向に引き出し配設できるように構成した昇降吊戸棚であって、前記棚の前面の下側部分を開放すると共に、この前面開放部を閉塞する閉塞体を設け、この閉塞体は、この閉塞体より上側の棚前壁部に沿って上方へスライド移動し得るように構成すると共に、この閉塞体が上方へスライド移動することで前記前面開放部を開放し得るように構成し、前記収納体を下方へ引き出しスライドさせると同時にこの閉塞体を前記前壁部に沿って上方へスライド移動せしめる連動機構を備え、この連動機構により収納体を下方へ引き出し配設すると、閉塞体が上方へスライド移動して開放する前記前面開放部から前記前壁部に隠蔽されていた収納体の前面部が露出するように構成したことを特徴とする昇降吊戸棚。
【請求項２】
前記閉塞体は、前記前面開放部を閉塞した際に前記棚の前壁部と略面一状態となり、この閉塞状態の閉塞体を棚に対して前方若しくは後方へ移動することで前壁部を避けて上方へスライド移動可能となるように構成し、前面開放部を閉塞した際の閉塞体を棚に対して前方若しくは後方へ押動移動せしめる押動手段を備えたことを特徴とする請求項１記載の昇降吊戸棚。
【請求項３】
前記収納体を前記棚内に収納した状態で係止ロックするロック機構を備え、このロック機構を解除することに連動して前記押動手段が閉塞体を棚に対して前方若しくは後方へ押動せしめるように構成したことを特徴とする請求項２記載の昇降吊戸棚。
【請求項４】
前記収納体の前側下部に引き出し用取手を設け、前記ロック機構による固定状態を解除操作する操作部をこの引き出し用取手に近接させて並設状態に設け、この引き出し用取手と操作部とを握って操作部を引き出し用取手に接近させることにより前記ロック機構が解除されてその引き出し用取手を掴んだまま棚内から収納体を引き出し配設し得るように構成し、この操作部を引き出し用取手に接近させることによって前記閉塞体を棚に対し前方若しくは後方へ押動移動せしめる前記押動手段を設けたことを特徴とする請求項３記載の昇降吊戸棚。
【請求項５】
前記操作部に前記閉塞体を押動する押動部を設け、この操作部を前記引き出し用取手に接近させると、押動部が閉塞体を押動して閉塞体が前記棚に対し前方若しくは後方へ移動する前記押動手段を構成したことを特徴とする請求項４記載の昇降吊戸棚。
【請求項６】
前記棚内に滑車を設け、この滑車に装着したロープやワイヤーなどの紐状連結体の一端部を前記収納体に連結し、他端部を前記閉塞体に連結することで、収納体を下方へ引き出し配設すると、滑車を介して紐状連結体により閉塞体が吊り上げられて上方へスライド移動する前記連動機構を構成したことを特徴とする請求項１〜５のいずれか１項に記載の昇降吊戸棚。
【請求項７】
上方へスライド移動した前記閉塞体の自重が、前記滑車を介して収納体を上方の棚内へ押し上げようとする下向きの力として作用するように、滑車と前記紐状連結体とによる前記連動機構を構成したことを特徴とする請求項６記載の昇降吊戸棚。
【発明の詳細な説明】
【０００１】
【発明の属する技術分野】
本発明は、収納棚が下方へスライド移動する昇降吊戸棚に関するものである。
【０００２】
【従来の技術及び発明が解決しようとする課題】
従来から、棚内に可動棚を収納配設すると共に、この可動棚は棚に対して上下方向にスライド自在に設けて、棚の下部開放部から棚の真下方向に可動棚を引き出し配設することができる構成の吊戸棚が実施されている。
【０００３】
しかし、このような昇降吊戸棚は、収納された可動棚を棚から全部下方へ引き出すために非常に長いスライドストロークが必要となり、スライド機構が大型化してコスト高となってしまう問題があった。
【０００４】
また、従来、特開２００２−５１８４７号のように、棚の前面部の下側半分の扉が開放するように設け、この前面下側の開放部から下方へ引き出した可動棚を露出させる構成とすることで、開放する扉の上下幅分だけスライドストローク長を短くできる構成も提案されているが、この先願構造では前面の下側の扉は手前側に向かって開放するもので、扉開放時には操作した本人に向かって扉が開くために圧迫感があり、また、吊戸棚の前側下方で作業していると開いた扉に頭をぶつけてしまうおそれもあるなど、実用性に乏しい仕様であった。
【０００５】
本発明は、このような現状に鑑み、棚前面の下側を閉塞する閉塞体（扉）が棚の手前側でなく、上方へスライド移動して前面開放部を開放する構成とすることで、前記先願と同様に収納体（可動棚）の引き出し入れストローク長を短くできる構成でいて、閉塞体が開放時でも前方へ大きく飛び出すことなく邪魔とならない画期的な昇降吊戸棚を提供するものである。
【０００６】
【課題を解決するための手段】
添付図面を参照して本発明の要旨を説明する。
【０００７】
底面を開放させた棚１内に収納体２を配設し、この収納体２と棚１の内面とにこの収納体２を上下方向にスライドせしめるスライド機構３を設け、このスライド機構３を介して収納体２を棚１内からこの棚１の略真下方向に引き出し配設できるように構成した昇降吊戸棚であって、前記棚１の前面の下側部分を開放すると共に、この前面開放部１Ｂを閉塞する閉塞体４を設け、この閉塞体４は、この閉塞体４より上側の棚１前壁部１Ｃに沿って上方へスライド移動し得るように構成すると共に、この閉塞体４が上方へスライド移動することで前記前面開放部１Ｂを開放し得るように構成し、前記収納体２を下方へ引き出しスライドさせると同時にこの閉塞体４を前記前壁部１Ｃに沿って上方へスライド移動せしめる連動機構５を備え、この連動機構５により収納体２を下方へ引き出し配設すると、閉塞体４が上方へスライド移動して開放する前記前面開放部１Ｂから前記前壁部１Ｃに隠蔽されていた収納体２の前面部が露出するように構成したことを特徴とする昇降吊戸棚に係るものである。
【０００８】
また、前記閉塞体４は、前記前面開放部１Ｂを閉塞した際に前記棚１の前壁部１Ｃと略面一状態となり、この閉塞状態の閉塞体４を棚１に対して前方若しくは後方へ移動することで前壁部１Ｃを避けて上方へスライド移動可能となるように構成し、前面開放部１Ｂを閉塞した際の閉塞体４を棚１に対して前方若しくは後方へ押動移動せしめる押動手段６を備えたことを特徴とする請求項１記載の昇降吊戸棚に係るものである。
【０００９】
また、前記収納体２を前記棚１内に収納した状態で係止ロックするロック機構７を備え、このロック機構７を解除することに連動して前記押動手段６が閉塞体４を棚１に対して前方若しくは後方へ押動せしめるように構成したことを特徴とする請求項２記載の昇降吊戸棚に係るものである。
【００１０】
また、前記収納体２の前側下部に引き出し用取手８を設け、前記ロック機構７による固定状態を解除操作する操作部９をこの引き出し用取手８に近接させて並設状態に設け、この引き出し用取手８と操作部９とを握って操作部９を引き出し用取手８に接近させることにより前記ロック機構７が解除されてその引き出し用取手８を掴んだまま棚１内から収納体２を引き出し配設し得るように構成し、この操作部９を引き出し用取手８に接近させることによって前記閉塞体４を棚１に対し前方若しくは後方へ押動移動せしめる前記押動手段６を設けたことを特徴とする請求項３記載の昇降吊戸棚に係るものである。
【００１１】
また、前記操作部９に前記閉塞体４を押動する押動部６Ａを設け、この操作部９を前記引き出し用取手８に接近させると、押動部６Ａが閉塞体４を押動して閉塞体４が前記棚１に対し前方若しくは後方へ移動する前記押動手段６を構成したことを特徴とする請求項４記載の昇降吊戸棚に係るものである。
【００１２】
また、前記棚１内に滑車１０を設け、この滑車１０に装着したロープやワイヤーなどの紐状連結体１１の一端部を前記収納体２に連結し、他端部を前記閉塞体４に連結することで、収納体２を下方へ引き出し配設すると、滑車１０を介して紐状連結体１１により閉塞体４が吊り上げられて上方へスライド移動する前記連動機構５を構成したことを特徴とする請求項１〜５のいずれか１項に記載の昇降吊戸棚に係るものである。
【００１３】
また、上方へスライド移動した前記閉塞体４の自重が、前記滑車１０を介して収納体２を上方の棚１内へ押し上げようとする下向きの力として作用するように、滑車１０と前記紐状連結体１１とによる前記連動機構５を構成したことを特徴とする請求項６記載の昇降吊戸棚に係るものである。
【００１４】
【発明の実施の形態】
好適と考える本発明の実施の形態（発明をどのように実施するか）を、図面に基づいてその作用効果を示して簡単に説明する。
【００１５】
収納体２が棚１内に収納されている状態から、スライド機構３により収納体２を棚１内から底面開放部１Ａを介してこの棚１の略真下方向に引き出し配設すると、連動機構５により同時に閉塞体４が棚１前面の上側の前壁部１Ｃに沿って上方へスライド移動し、棚１前面下側の前面開放部１Ｂが開放してこの前面開放部１Ｂから前壁部１Ｃに隠蔽されていた収納体２の前面部が露出することになる。
【００１６】
従って、収納体２が開放する前面開放部１Ｂから露出するだけのスライド範囲のスライド機構３であれば良いため、収納体２全体を棚から下方へ引き出すような構成に比して少なくとも閉塞体４の上下幅分スライド範囲を短くすることが可能で、小型のスライド機構３を採用してコスト安に構成することが可能となり、しかも、棚１の前壁部１Ｃを開放せずとも、収納体２を下方へ引き出すことでこの前壁部１Ｃに隠蔽された収納体２前面部が前面開放部１Ｂから露出するため、前壁部１Ｃを開閉構造とする必要がなく、それだけ棚１をコスト安に構成可能となる。
【００１７】
また、前面開放部１Ｂ開放時の閉塞体４は、棚１前面の上側の前壁部１Ｃに沿った状態で上方へスライド移動（退避）しているため、棚１の前方へ大きく突出することなく、よって、閉塞体４の開放時に従来例のような圧迫感がないし、閉塞体４に頭をぶつけてしまうようなこともない極めて実用性に秀れた画期的な昇降吊戸棚となる。
【００１８】
また、例えば、前記閉塞体４は、前記前面開放部１Ｂを閉塞した際に前記棚１の前壁部１Ｃと略面一状態となり、この閉塞状態の閉塞体４を棚１に対して前方若しくは後方へ移動することで前壁部１Ｃを避けて上方へスライド移動可能となるように構成し、前面開放部１Ｂを閉塞した際この閉塞体４を棚１に対して前方若しくは後方へ押動移動せしめる押動手段６を設ければ、閉塞状態の閉塞体４が、前壁部１Ｃに対して不自然に奥へ引っ込んでいたり飛び出ていたりすることがなく、前壁部１Ｃと略面一状態であるために、これまでの吊戸棚と見た目がほとんど変わらず体裁良好となり、且つ押動手段６により確実に閉塞体４を上方へスライド移動可能な状態にできるなど、一層実用的となる。
【００１９】
また、例えば、前記収納体２を前記棚１内に収納した状態で係止ロックするロック機構７を備え、このロック機構７を解除することに連動して前記押動手段６が閉塞体４を棚１に対して前方若しくは後方へ押動せしめるように構成すれば、収納体２を下方へ引き出そうとロック機構７を解除した際に、同時に押動手段６によって閉塞体４を上方へスライド移動可能な状態となるため、ロック機構７の解除操作に引き続いて、一連の動作のうちに収納体２を引き出すことと連動機構５を介しての閉塞体４開放作動とを行うことができ、非常に操作性に秀れることとなる。
【００２０】
また、例えば、前記収納体２の前側下部に引き出し用取手８を設け、前記ロック機構７による固定状態を解除操作する操作部９をこの引き出し用取手８に近接させて並設状態に設け、この引き出し用取手８と操作部９とを握って操作部９を引き出し用取手８に接近させることにより前記ロック機構７が解除されてその引き出し用取手８を掴んだまま棚１内から収納体２を引き出し配設し得るように構成し、この操作部９を引き出し用取手８に接近させることによって前記閉塞体４を棚１に対し前方若しくは後方へ押動移動せしめる前記押動手段６を設ければ、ロック機構７の解除操作を単に引き出し用取手８と操作部９とを握って接近させるだけの簡単操作で行える上、その解除操作によって閉塞体４が上方へスライド可能な状態となるため、この解除操作に引き続いて一連の動作のうちに引き出し用取手８を掴んで収納体２を引き出すことができ、同時に閉塞体４が上方へスライド移動することで開放する前面開放部１Ｂから露出させることができるなど、一層操作性に秀れ、実用的となる。
【００２１】
また、例えば、前記操作部９に前記閉塞体４を押動する押動部６Ａを設け、この操作部９を前記引き出し用取手８に接近させると、押動部６Ａが閉塞体４を押動して閉塞体４が前記棚１に対し前方若しくは後方へ移動する前記押動手段６を構成すれば、前記作用・効果を確実に発揮する押動手段６を簡易構成にして容易に設計実現可能となり、一層実用的となる。
【００２２】
また、例えば、前記棚１内に滑車１０を設け、この滑車１０に装着したロープやワイヤーなどの紐状連結体１１の一端部を前記収納体２に連結し、他端部を前記閉塞体４に連結することで、収納体２を下方へ引き出し配設すると、滑車１０を介して紐状連結体１１により閉塞体４が吊り上げられて上方へスライド移動する前記連動機構５を構成すれば、滑車の原理により軽い力で収納体２の引き出し配設操作も押し上げ配設操作も行うことができるために極めて操作性に秀れ、しかもこの連動機構５の構成は簡易に設計実現可能な構成であるなど、一層実用的となる。
【００２３】
また、例えば、上方へスライド移動した前記閉塞体４の自重が、前記滑車１０を介して収納体２を上方の棚１内へ押し上げようとする下向きの力として作用するように、滑車１０と前記紐状連結体１１とによる前記連動機構５を構成すれば、閉塞体４の重さ分だけ引き出し配設した収納体２を棚１内に押し上げ配設することが軽い力で行われることになるため、この収納体２の押し上げ操作が容易に行われることになり、一層実用的となる。
【００２４】
【実施例】
本発明の具体的な実施例について図面に基づいて説明する。
【００２５】
本実施例の棚１は、図１に示すように、正面から見て四角形状を呈する前面及び底面開放型とし、前面開放部の上側半分に前壁部１Ｃを開放不能状態に固定した構成としている。
【００２６】
この棚１内に配設する収納体２は、前面開放型の方形箱状体とし、高さ寸法を前記棚１の高さよりもやや低くして、棚１内に完全に収納されるように構成している。
【００２７】
また、この収納体２は、下部前側左右部を下方へ延長垂設し、この延設部間に丸棒を架設固定してこの丸棒を引き出し用取手８としている。
【００２８】
本実施例では、この収納体２の左右側部と棚１の左右内面とにこの収納体２を上下方向にスライドさせるスライド機構３を設けている。
【００２９】
スライド機構３について説明すると、棚１の左右内面に帯状のスライドガイド３Ａ（ガイドレール）を縦設状態にして付設する一方、このスライドガイド３Ａにスライド自在に装着するスライド体３Ｂを収納体２の左右側面部に付設し、このスライドガイド３Ａにスライド体３Ｂを装着することで、棚１内に収納体２を設置すると共に、この収納体２を図２に示す棚１内収納状態から、図１，図６に示すように底面開放部１Ａを介してこの棚１の略真下方向に下がった位置に引き出しスライド配設できるように構成している。
【００３０】
また、本実施例では、前記収納体２を棚１内に収納した状態と，棚１内より引き出した状態とを係止ロック・係止解除自在に保持するロック機構７を備えている。
【００３１】
このロック機構７について説明すると、図２，図３，図６に示すように、前記収納体２に係止部１２を設け、この係止部１２に沿設状態に配されて収納体２の昇降移動に伴うこの係止部１２の移動をガイドする帯状のガイド部１３を、棚１の左右内面であって前記スライドガイド３Ａの近傍に夫々縦設状態に設け、このガイド部１３の上下両端部に前記収納体２が棚１内に収納された状態と，収納体２が棚１から引き出された状態のときに前記係止部１２が係合する係合部１３Ａを設けて、この係止部１２が係合部１３Ａに係合することにより収納体２が棚１内に収納された状態と，収納体２が棚１から引き出された状態とが係止ロックされるように構成している。
【００３２】
一方、収納体２の左右側面部に、コ字状の操作枠体１４の遊離杆部を配設してこの遊離杆部の途中部を収納体２の左右側面部に枢着すると共に、この操作枠体１４の中間杆部がこの収納体２の下方であって、前記引き出し用取手８の後方近傍に位置するように設けている。即ち、収納体２に対してコ字枠状の操作枠体１４を枢着し、この操作枠体１４の遊離杆部の枢着軸部１５を支点とした回動作動によりこの操作枠体１４の中間杆部が引き出し用取手８に対して接離移動するように設けている。
【００３３】
また、この操作枠体１４の遊離両端部（上端部）間に補強杆１４Ａを架設し、この補強杆１４Ａを収納体２の左右側壁部の上部に設けた貫通孔１６を介してこの収納体２を左右貫通状態に設けると共に、この貫通孔１６は収納体２の前後方向に長さを有する横長の孔として、この横長の貫通孔１６に補強杆１４Ａが許容される移動範囲で操作枠体１４の中間杆部が引き出し用取手８に対して接離移動するように構成している。
【００３４】
また、この操作枠体１４の遊離両端部には、外側へ突出する突起を形成してこの突起を前記係止部１２とし、この係止部１２は前記ガイド部１３に沿設状態に設けて、収納体２が棚１に対して昇降スライド移動する際にはこのガイド部１３に沿って係止部１２が移動するように構成し、且つこの係止部１２は、収納体２のスライド上限位置と、スライド下限位置とで係合部１３Ａに係合可能となるように構成している。
【００３５】
従って、この収納体２のスライド上限位置と，スライド下限位置（収納体２を棚１内に収納した状態と，棚１内より引き出した状態）とで、操作枠体１４を動かして前記係合部１３Ａに係止部１２を係合すると、この双方の状態が係止ロックされる構成としている。
【００３６】
また、この収納体２のスライド上限位置では収納体２が棚１内に収納された状態となり、収納体２のスライド下限位置ではこの収納体２の上方部が棚１の前面開放部１Ｂから露出するようにスライド機構３のスライド範囲を設定構成している。
【００３７】
また、本実施例では、収納体２の下部に位置する前記操作枠体１４の中間杆部を操作部９とし、この操作部９と引き出し用取手８とを握ることで操作部９を引き出し用取手８に接近させると、操作枠体１４の前記枢着軸部１５を支点にしてこの操作枠体１４の先端に設けた係止部１２が係合部１３Ａから係脱して固定状態が解除され、その引き出し用取手８を掴んだまま棚１内から収納体２を引き出し配設若しくは引き出された収納体２を棚１内に押し入れ収納できるように構成している。
【００３８】
また、この操作枠体１４の遊離両端部と、この遊離両端部よりも前方側となる収納体２左右側面部所定位置との間に抗張弾性を有する弾性体１７としてのコイルバネ１７を架設状態に設け、このコイルバネ１７の抗張弾性により常に操作部９が引き出し用取手８から離反する構成として、棚１内に前記収納体２を収納した状態若しくは収納体２を引き出した状態とすると自動的に前記ロック機構７による固定状態となるように構成している。
【００３９】
また、本実施例の操作部９と引き出し用取手８とは、収納体２が棚１内に収納された状態で棚１の下部から突出（露出）するように設け、これにより収納体２の棚１からの引き出し操作を行い易くしている。
【００４０】
また、本実施例では図示していないが、収納体２を吊り下げ支承する弾性体などによる吊り下げ機構を設けて、収納体２を引き出す際も押し入れる際も、ゆっくりと収納体２が引き出し若しくは押し入れられることになるように構成して、収納体２の昇降スライド移動に際しては、収納体２が勢い良く棚１から飛び出したり、棚１内に勢い良く飛び込んだりすることなく、引き出し作動も押し入れ作動も安全に行われることになるようにすることが望ましい。
【００４１】
また、本実施例では、前記棚１の前面の下側部分を開放すると共に、この前面開放部１Ｂを閉塞する閉塞体４を設け、この閉塞体４は、この閉塞体４より上側の前壁部１Ｃに沿って上方へスライド移動し得るように構成すると共に、この閉塞体４が上方へスライド移動することで前記前面開放部１Ｂを開放し得るように構成している。
【００４２】
具体的には、閉塞体４は、図１，図２に示すように、棚１前面の前記前壁部１Ｃのない下側半分を閉塞する横長方形状の板材に構成している。
【００４３】
この閉塞体４の前壁部１Ｃに沿った上方へのスライド移動構造は、この閉塞体４の裏面側の下端左右部に、側方から見て逆Ｔ字形を呈する取付体１８を、その下側横設部１８Ｂの図２における左側端部（棚１に対して前側の端部）を固定することで設け、更に、この取付体１８の立設部１８Ａの上端部と、横設部１８Ｂの中央よりやや前側位置とにはローラ１９を回動自在に設けている。
【００４４】
一方、棚１の左右内面であって、夫々の前記スライドガイド３Ａよりも前側位置に、二体の帯状のローラガイド２０を縦設状態にして前後並設状態に付設している。また、この前後のローラガイド２０は、前側を低い位置に、後側を高い位置に設け、この前後夫々のローラガイド２０に前記取付体１８の上下のローラ１９をスライド自在に装着することで、この閉塞体４を前壁部１Ｃに沿って（ローラガイド２０に沿って）上方へスライド可能となるように前記前面開放部１Ｂに設けている。
【００４５】
また、閉塞体４の左右に取付体１８を介して設けた上下のローラ１９を左右各上下のローラガイド２０で支持することで閉塞体４は略垂直な姿勢を保持したままスムーズに上下スライド移動する構成としている。
【００４６】
また、ローラガイド２０は、下端部が後方へ傾斜する形状に形成し、ローラ１９がローラガイド２０の最下端部にあるときは、閉塞体４が前記前壁部１Ｃと略面一状態となって前記前面開放部１Ｂを閉塞した状態となり（図２参照）、この状態から閉塞体４を上方へスライドさせてローラ１９がローラガイド２０を上昇スライド移動すると、閉塞体４は棚１に対して前方へ移動しながら上方へスライド移動し、これにより閉塞状態で前壁部１Ｃと略面一状態となっていた閉塞体４が、前壁部１Ｃを避けて上昇スライド移動し得るように構成している（図６参照）。
【００４７】
また、本実施例では、前記収納体２を下方へ引き出しスライドさせると同時にこの閉塞体４を前記前壁部１Ｃに沿って上方へスライド移動せしめる連動機構５を備え、この連動機構５により収納体２を下方へ引き出し配設すると、閉塞体４が上方へスライド移動して開放する前記前面開放部１Ｂから収納体２が露出するように構成している。
【００４８】
具体的には、図２〜図６に示すように、前記棚１内に滑車１０を設け、この滑車１０に装着した紐状連結体１１（ワイヤー）の一端部を前記収納体２に連結し、他端部を前記閉塞体４に連結することで、収納体２を下方へ引き出し配設すると、滑車１０を介して紐状連結体１１により閉塞体４が吊り上げられて上方へスライド移動する前記連動機構５を構成している。
【００４９】
更に説明すると、棚１の天面部内面の前側左右部に夫々滑車１０を付設し、この夫々の滑車に吊られたワイヤー１１の一端部を夫々収納体２の上部左右部に連結し、他端部を図５に示すように前記左右夫々の取付体１８の立設部１８Ａと横設部１８Ｂとの連設部分に連結して、収納体２をスライド機構３を介して下方へ引き出しスライド移動させると、滑車１０を介して左右のワイヤー１１で連結された閉塞体４が吊り上げられて上方へスムーズにスライド移動することになり、逆に引き出した収納体２を上方へスライド移動させると、閉塞体４が自重によって下方へスライド移動することになる構成としている。
【００５０】
また、本実施例では、上方へスライド移動した前記閉塞体４の自重が、前記滑車１０を介して収納体２を上方の棚１内へ押し上げようとする下向きの力として作用するように、収納体２及び閉塞体４を滑車１０から略垂直に吊り下げる構成とし、これにより収納体２を引き出す際には、常に一定の力で下方へ引っ張ることができる操作性に秀れた構成としている。
【００５１】
また、これにより閉塞体４の重さも略一定の下向きの力として収納体２に伝わるため、上方へスライド移動した前記閉塞体４の自重が、前記滑車１０を介して収納体２を上方の棚１内へ押し上げようとする下向きの力として作用し、この閉塞体４の重さ分だけ収納体２を上方へ押し上げる力が軽くなり、収納体２を容易に棚１内に押し上げることができる構成としている。
【００５２】
また、本実施例では、棚１の前面開放部１Ｂを閉塞した際に前壁部１Ｃと略面一状態となっている閉塞体４は、この閉塞状態の閉塞体４を棚１に対して前方へ傾動移動することで上方へスライド移動可能となるように構成し、この閉塞体４を棚１に対して前方へ押動して傾動させる押動手段６を備えている。
【００５３】
押動手段６は、図２，図３，図４に示すように、前記操作枠体１４の遊離両端部の下側寄りに断面Ｌ字板状の押動部６Ａを付設する一方、この押動部６Ａに押動される押動杆６Ｂを前記取付体１８の立設部１８Ａの中程に突設して、操作枠体１４（操作部９）を前記ロック機構７を解除するために前記引き出し用取手８に接近移動させると、押動部６Ａが押動杆６Ｂを前方へ押動する構成としている。
【００５４】
また、この立設部１８Ａの上端部のローラ１９を装着する前記ローラガイド２０は、下端部が略水平後方（図面右方）へ向かって延設する形状に形成し、閉塞体４が略垂直状態（前壁部１Ｃと略面一状態）の際には、立設部１８Ａの上端部のローラ１９がこのローラガイド２０の延設部の後端側に位置し、前記操作部９の操作により前記押動部６Ａが前記押動杆６Ｂを前方へ押動すると、横設部１８Ｂに設けた前記ローラ１９を支点にして取付体１８が前方へ回動し、立設部１８Ａのローラ１９がローラガイド２０の下端部を前方へ移動して上方へスライド可能な状態となると共に、この立設部１８Ａのローラ１９が前方へ移動した分閉塞体４が前方へ傾動し、閉塞体４の上端部が前壁部１Ｃの下端よりも前方へ移動した状態となる構成としている（図３，図４参照）。
【００５５】
そして、この状態で、閉塞体４を上方へスライド移動させると、前記ローラガイド２０に沿って閉塞体４が前方へ移動しながらスライド移動することもあって、閉塞体４は前壁部１Ｃを避けて接触することなく上昇スライド移動することになる構成としている（図６参照）。
【００５６】
即ち、本実施例では、ロック機構７を解除することに連動して、押動手段６が取付体１８を介し閉塞体４を棚１に対し前方へ押動して閉塞体４が傾動するようにしているもので、これによりロック機構７を解除することに引き続いて、一連の動作のうちに収納体２を棚１下方へ引き出して同時に前面開放部１Ｂを開放させることができる構成としている。
【００５７】
また、この取付体１８の横設部１８Ｂの後端部には重り体２１を付設し、この重り体２１の荷重によって閉塞体４は常に略垂直状態となるように規制される構成としている。従って、閉塞体４が前面開放部１Ｂを閉塞している際には、操作部９を引き出し用取手８に接近させない限り勝手に前方へ傾動してしまうようなことがなく、閉塞体４が前壁部１Ｃと略面一状態となった良好な吊戸棚の体裁が維持される構成としている。
【００５８】
尚、本実施例では、押動手段６で閉塞体４を前方へ押動すると、閉塞体４が前方へ傾動する場合を示したが、閉塞体４が垂直状態のまま前方へスライド移動するような構成としても良い。また、請求項２中の「閉塞体を棚に対して前方若しくは後方へ押動移動せしめる押動手段」なる記載は、本実施例のように閉塞体４が押動手段６によって前方（若しくは後方）へ傾動するような構成も含む意味合いで用いているものである。
【００５９】
また、本実施例では、閉塞体４が前方へ傾動して前壁部１Ｃの前面に沿って上昇スライド移動する構成とした場合を示したが、閉塞体４は、後方へ傾動若しくはスライド移動して前壁部１Ｃの後面に沿って上昇スライド移動する構成としても良い。
【００６０】
尚、本発明は、本実施例に限られるものではなく、各構成要件の具体的構成は適宜設計し得るものである。
【００６１】
【発明の効果】
本発明は上述のように構成したから、収納体が開放する前面開放部から露出するだけのスライド範囲のスライド機構であれば良いため、収納体全体を棚から下方へ引き出すような構成に比して小型のスライド機構を採用してコスト安に構成可能となり、しかも、前壁部を開放せずとも、収納体を下方へ引き出すことでこの前壁部に隠蔽された収納体前面部が前面開放部から露出するため、前壁部を開閉構造とする必要がなく、それだけ棚をコスト安に構成可能となり、その上、前面開放部開放時の閉塞体は、棚前面の上側の前壁部に沿った状態で上方へスライド移動（退避）しているため、棚の前方へ大きく突出することなく、よって、閉塞体の開放時に従来例のような圧迫感がないし、閉塞体に頭をぶつけてしまうようなこともないなど、極めて実用性に秀れた画期的な昇降吊戸棚となる。
【００６２】
また、請求項２記載の発明においては、閉塞状態の閉塞体が、棚の前壁部に対して不自然に奥へ引っ込んでいたり飛び出ていたりすることがなく、前壁部と略面一状態であるために非常に体裁良好となり、且つ押動手段により確実に閉塞体を前壁部に接触せずに上方へスライド移動可能な状態にできるなど、一層実用性に秀れた構成の昇降吊戸棚となる。
【００６３】
また、請求項３記載の発明においては、収納体を下方へ引き出そうとロック機構を解除した際に、同時に押動手段によって閉塞体を上方へスライド移動可能な状態となるため、ロック機構の解除操作に引き続いて、一連の動作のうちに収納体を引き出すことと連動機構を介しての閉塞体開放作動とを行うことができる非常に操作性に秀れ、実用性に秀れた構成の昇降吊戸棚となる。
【００６４】
また、請求項４記載の発明においては、ロック機構の解除操作を単に引き出し用取手と操作部とを握って接近させるだけの簡単操作で行える上、その解除操作によって閉塞体が上方へスライド可能な状態となるため、この解除操作に引き続いて一連の動作のうちに引き出し用取手を掴んで収納体を引き出し、同時に開放する前面開放部から露出させることができるなど、一層操作性・実用性に秀れた構成の昇降吊戸棚となる。
【００６５】
また、請求項５記載の発明においては、前記作用・効果を確実に発揮する押動手段を簡易構成にして容易に設計実現可能となる一層実用性に秀れた構成の昇降吊戸棚となる。
【００６６】
また、請求項６記載の発明においては、滑車の原理により軽い力で収納体の引き出し配設操作も押し上げ配設操作も行うことができるために、極めて操作性に秀れ、しかもこの連動機構の構成は簡易に設計実現可能な構成であるなど、一層実用性に秀れた構成の昇降吊戸棚となる。
【００６７】
また、請求項７記載の発明においては、引き出し配設した収納体を棚内に押し上げ配設する際に要する力が閉塞体の重さ分だけ軽減するので、収納体を棚内に押し上げ配設する操作が一層容易に行われることになる秀れた構成の昇降吊戸棚となる。
【図面の簡単な説明】
【図１】本実施例の収納体を棚の下方へ引き出し配設して閉塞体を上方へスライド移動させ、前面開放部を開放させた状態を示す説明斜視図である。
【図２】本実施例の収納体を棚内に収納配設し、閉塞体が前面開放部を閉塞した状態を示す説明側断面図である。
【図３】図２の状態から、操作部を引き出し用取手に接近させてロック機構を解除すると共に、閉塞体を前方へ押動傾動させた状態を示す説明側断面図である。
【図４】本実施例の押動手段を示す部分拡大説明図である。
【図５】本実施例の連動機構を示す部分説明図である。
【図６】図３の状態から収納体を下方へ引き出し配設し、閉塞体を上方へスライド移動させて棚の前面開放部を開放させた状態を示す説明側断面図である。
【符号の説明】
１  棚
１Ｂ  前面開放部
１Ｃ  前壁部
２  収納体
３  スライド機構
４  閉塞体
５  連動機構
６  押動手段
６Ａ  押動部
７  ロック機構
８  引き出し用取手
９  操作部
１０  滑車
１１  紐状連結体
【図１】
2004305491.tif 000003
【図２】
2004305491.tif 000004
【図３】
2004305491.tif 000005
【図４】
2004305491.tif 000006
【図５】
2004305491.tif 000007
【図６】
2004305491.tif 000008